(57)【要約】  【課題】  携帯電話などの携帯端末装置にバリュー処理機能を組み込む場合に、情報管理が容易な携帯端末装置などを提供すること。  【解決手段】  インターネット接続機能を有する携帯電話７に、非接触型ＩＣカード用のＩＣチップを組み込む。携帯電話７の販売時には、ＩＣチップには応用プログラムは組み込まれていない。携帯電話７の購入後ユーザは、携帯電話７から電子マネーサーバ２に接続し、ＩＣチップにバリュー処理プログラムをインストールする。電子マネーサーバ２と携帯電話７は、共同して動作し、バリュー処理機能の組み込み処理を行う。この組み込み処理に際して、携帯電話７は、電子マネーサーバ２から、セキュリティを確保する上で必要な秘密情報を受信し、ＩＣチップに組み込む。  【選択図】  図１
2006018847.tif 000002
【特許請求の範囲】
【請求項１】
電子情報を処理する情報処理手段と、
電子情報を記憶する記憶手段と、
前記記憶手段に、貨幣情報を記憶する貨幣情報記憶手段を生成する生成手段と、
所定の秘密情報を提供する提供サーバ装置に接続し、前記提供サーバ装置から前記秘密情報を受信する秘密情報受信手段と、
前記記憶手段に、前記情報処理手段に貨幣情報処理を実行させるための貨幣情報処理プログラムと、前記受信した秘密情報を組み込む組み込み手段と、
を具備し、
前記貨幣情報処理プログラムは、
所定の端末装置、又は所定のサーバ装置から、前記組み込んだ秘密情報を用いて金額変更情報を受信する金額情報受信機能と、前記受信した金額変更情報を用いて、前記貨幣情報記憶手段に記憶した貨幣情報の金額を変更する貨幣情報処理機能と、を前記情報処理手段で実現するための貨幣情報処理プログラムであることを特徴とする携帯端末装置。
【請求項２】
前記秘密情報は、前記所定の端末装置、又は、前記所定のサーバ装置が、前記携帯端末装置を認証するための認証情報であることを特徴とする請求項１に記載の携帯端末装置。
【請求項３】
前記提供サーバ装置から登録ＩＤ情報を受信するＩＤ情報受信手段と、
情報を表示する表示手段と、
を具備し、
前記組み込み手段は、前記受信した登録ＩＤ情報を前記表示手段で表示可能に、前記記憶手段に組み込むことを特徴とする請求項１、又は請求項２に記載の携帯端末装置。
【請求項４】
前記貨幣情報処理プログラムは、前記金額情報受信機能で前記所定の端末から金額変更情報を受信する際に前記組み込んだ登録ＩＤ情報を前記所定の端末に送信するＩＤ送信機能を、前記情報処理手段で実現することを特徴とする請求項３に記載の携帯端末装置。
【請求項５】
電子情報を処理する情報処理手段と、電子情報を記憶する記憶手段と、生成手段と、秘密情報受信手段と、組み込み手段と、を備えたコンピュータにおいて、
前記記憶手段に、貨幣情報を記憶する貨幣情報記憶手段を前記生成手段で生成する生成ステップと、
所定の秘密情報を提供する提供サーバ装置に接続し、前記提供サーバ装置から前記秘密情報受信手段で前記秘密情報を受信する秘密情報受信ステップと、
前記記憶手段に、前記情報処理手段に貨幣情報処理を実行させるための貨幣情報処理プログラムと、前記受信した秘密情報を前記組み込み手段で組み込む組み込みステップと、
から構成され、
前記貨幣情報処理プログラムは、
所定の端末装置、又は所定のサーバ装置から、前記組み込んだ秘密情報を用いて金額変更情報を受信する金額情報受信機能と、前記受信した金額変更情報を用いて、前記貨幣情報記憶手段に記憶した貨幣情報の金額を変更する貨幣情報処理機能と、を前記情報処理手段で実現するための貨幣情報処理プログラムであることを特徴とする携帯端末方法。
【請求項６】
電子情報を処理する情報処理手段と、電子情報を記憶する記憶手段と、を備えたコンピュータに、
前記記憶手段に、貨幣情報を記憶する貨幣情報記憶手段を生成する生成機能と、
所定の秘密情報を提供する提供サーバ装置に接続し、前記提供サーバ装置から前記秘密情報を受信する秘密情報受信機能と、
前記記憶手段に、前記情報処理手段に貨幣情報処理を実行させるための貨幣情報処理プログラムと、前記受信した秘密情報を組み込む組み込み機能と、
を発揮させる携帯端末プログラムであって、
前記貨幣情報処理プログラムは、
所定の端末装置、又は所定のサーバ装置から、前記組み込んだ秘密情報を用いて金額変更情報を受信する金額情報受信機能と、前記受信した金額変更情報を用いて、前記貨幣情報記憶手段に記憶した貨幣情報の金額を変更する貨幣情報処理機能と、を前記情報処理手段で実現するための貨幣情報処理プログラムであることを特徴とする携帯端末プログラム。
【請求項７】
請求項１に記載の携帯端末装置に秘密情報を提供する提供サーバ装置であって、
前記携帯端末装置に接続する接続手段と、
前記接続した携帯端末装置に秘密情報を送信する送信手段と、
を具備したことを特徴とする提供サーバ装置。
【請求項８】
接続手段と、送信手段と、を備えたコンピュータにおいて、請求項１に記載の携帯端末装置に秘密情報を提供する提供サーバ方法であって、
前記接続手段で前記携帯端末装置に接続する接続ステップと、
前記接続した携帯端末装置に前記送信手段で秘密情報を送信する送信ステップと、
から構成されたことを特徴とする提供サーバ方法。
【請求項９】
請求項１に記載の携帯端末装置に秘密情報を提供するための提供サーバプログラムであって、
前記携帯端末装置に接続する接続機能と、
前記接続した携帯端末装置に秘密情報を送信する送信機能と、
をコンピュータで実現する提供サーバプログラム。
【請求項１０】
電子情報を処理する情報処理手段と、電子情報を記憶する記憶手段と、を備えた情報処理装置を接続する接続手段と、
前記接続した情報処理装置の記憶手段に、貨幣情報を記憶する貨幣情報記憶手段を生成する生成手段と、
所定の秘密情報を提供する提供サーバ装置に接続し、前記提供サーバ装置から前記秘密情報を受信する秘密情報受信手段と、
前記情報処理手段に貨幣情報処理を実行させるための貨幣情報処理プログラムと、前記受信した秘密情報を、前記接続した情報処理装置の記憶手段に組み込む組み込み手段と、
を具備し、
前記貨幣情報処理プログラムは、
所定の端末装置、又は所定のサーバ装置から、前記組み込んだ秘密情報を用いて金額変更情報を受信する金額情報受信機能と、前記受信した金額変更情報を用いて、前記貨幣情報記憶手段に記憶した貨幣情報の金額を変更する貨幣情報処理機能と、を前記情報処理手段で実現するための貨幣情報処理プログラムであることを特徴とする携帯端末装置。
【請求項１１】
電子情報を記憶する記憶手段を接続する接続手段と、
電子情報を処理する情報処理手段と、
前記接続した記憶手段に、貨幣情報を記憶する貨幣情報記憶手段を生成する生成手段と、
所定の秘密情報を提供する提供サーバ装置に接続し、前記提供サーバ装置から前記秘密情報を受信する秘密情報受信手段と、
前記情報処理手段に貨幣情報処理を実行させるための貨幣情報処理プログラムと、前記受信した秘密情報を前記接続した記憶手段に組み込む組み込み手段と、
を具備し、
前記貨幣情報処理プログラムは、
所定の端末装置、又は所定のサーバ装置から、前記組み込んだ秘密情報を用いて金額変更情報を受信する金額情報受信機能と、前記受信した金額変更情報を用いて、前記貨幣情報記憶手段に記憶した貨幣情報の金額を変更する貨幣情報処理機能と、を前記情報処理手段で実現するための貨幣情報処理プログラムであることを特徴とする携帯端末装置。
【発明の詳細な説明】
【技術分野】
【０００１】
本発明は、携帯端末装置などに関し、例えば、電子マネーサービスを利用することができる携帯電話などに関する。
【背景技術】
【０００２】
近年、電子マネーを用いた決済システムの実証試験が成功裡に終わり、電子マネーは実用化段階を迎えている。
現在では、小売店舗での決済などが行われており、更に、電子マネーを一般のユーザに普及させるために、要素技術の開発や、ビジネスモデルの構築などのさまざまな努力が行われている。
また、小売店舗の他に、電車、バスなどの乗車料金を電子マネーの機能により精算するシステムも実用化している。
【０００３】
電子マネーは、バリューと呼ばれる金銭と同様の交換価値を電子マネーカードに記憶させ、この電子マネーカードを電子財布として使用するものである。
バリューは、専用の端末装置（以下、電子マネー端末）で電子マネーカードに書き込むことができる。このバリューの書き込み処理は、チャージと呼ばれている。バリューをチャージする際に、ユーザからバリュー相当の金銭を徴収する。
これにより実際の金銭とバリューとを対応させ、バリューの交換価値を担保している。
バリューによる決済処理は、電子マネー端末で電子マネーカードに記憶されているバリューを決済代金分だけ減算することにより行う。
【０００４】
電子マネーカードは、非接触型ＩＣ（Ｉｎｔｅｇｒａｔｅｄ  Ｃｉｒｃｕｉｔ）カードや接触型ＩＣカードを用いて構成することができる。
非接触型ＩＣカードで構成された電子マネーカードの場合は、バリュー処理機能とバリュー記憶機能を有するＩＣチップと、電子マネー端末と通信を行うためのアンテナから構成されている。このアンテナは電子マネー端末と無線通信するのに用いる他、電子マネー端末からの電波を受信してＩＣチップを駆動するための電力を発生させる機能も有している。
電子マネー端末は、このアンテナを介してＩＣチップと無線通信して電子マネーカード内のＩＣチップにアクセスし、バリューに関する各種処理（書き込み処理、減算処理、残高参照処理など、以下、バリュー処理と記す）を行うことができる。
【０００５】
電子マネーカードの主な利用形態は次のようになる。
（１）バリューをチャージする場合
まず、電子マネー端末が設置された店舗において、電子マネーカードを電子マネー端末にセットし、電子マネー端末の担当者にバリューの書き込みを依頼する。この際に、バリュー金額相当分の代金を支払う。
次に、担当者は、代金分のバリューを電子マネーカードに書き込むように電子マネー端末を操作する。
すると電子マネー端末は、電子マネーカード内のＩＣチップにバリューを代金分だけ加算する書き込みコマンドを送信する。
ＩＣチップは、書き込みコマンドを受信してこれを実行し、ＩＣチップに記憶されているバリューの金額を代金分だけ加算する。
このようにして、電子マネーカードにバリューをチャージすることができる。
なお、電子マネーカードをセットして代金を投入すると自動的にチャージを行う無人の電子マネー端末もある。
【０００６】
（２）バリューで決済する場合
まず、決済処理の対象となる商品やサービスを電子マネー端末の担当者に提示する。そして、店舗に設置された電子マネー端末に電子マネーカードをセットし、バリューで決済したい旨を担当者に伝える。
これに対し、担当者は、電子マネーカードに記憶されているバリューから決済金額分を減算するように電子マネー端末を操作する。
すると、電子マネー端末は、電子マネーカード内のＩＣチップに代金分だけバリューを減算する減算コマンドを送信する。
ＩＣチップは、減算コマンドを受信してこれを実行し、ＩＣチップに記憶されているバリューを決済金額分だけ減算する。
このようにして、電子マネーカードのバリューで決済処理を行うことができる。
なお、自動販売機に電子マネー端末を設置しておき、ユーザが商品を購入すると自動的にバリューを決済処理するものもある。
【０００７】
（３）インターネット上で電子マネーを利用する場合
インターネット接続機能と、電子マネーカードに対して読み書きするためのリーダライタを備えた端末装置を用いて、電子マネーカードへバリューをチャージしたり、電子マネーカードに記憶されているバリューで決済を行うことができる。
バリューをチャージする場合は、リーダライタに電子マネーカードをセットして、端末装置でチャージを行うためのＷｅｂサイトに接続する。するとサーバ装置と電子マネーカードの間で通信が行われ、サーバ装置は、電子マネーカードに対してバリューの書き込み処理を行うことができる。書き込んだバリューに相当する代金は、ユーザの銀行口座から引き落としたり、あるいはクレジットカードによって処理される。
バリューで決済処理する場合は、同様にサーバ装置と電子マネーカードの間で通信が行われ、バリューの減算処理が行われる。
このように電子マネーカードは、プリペイド方式の電子財布として利用することができ、特に少額の決済ではユーザは小銭に煩わされることなく有用である。
【０００８】
また、近年携帯電話の普及がめざましく、携帯電話に電子マネーカードと同等の機能を持たせようという試みが行われている。
携帯電話に電子マネーカードの機能を持たせると、ユーザは携帯電にバリューをチャージしたり、あるいは携帯電話に記憶させたバリューで決済処理を行うことができる。
このように、携帯電話に電子マネーカードの機能を持たせる技術として次のものがある。
【０００９】
【特許文献１】特開２００２−３５２１７３
【００１０】
この発明は、携帯電話にバリューを記憶するための専用メモリを設け、ここにバリューをチャージしたり、あるいはここに記憶したバリューで決済処理を行うものである。
【発明の開示】
【発明が解決しようとする課題】
【００１１】
ところで、携帯電話に電子マネーカードと同様のバリュー処理機能を組み込む場合、どの時点で組み込むかという課題がある。
携帯電話にバリュー処理機能を組み込む場合、セキュリティに関する各種の情報も組み込まなくてはならない。
これらの組み込み処理を外部に委託すると、これらのセキュリティに関する情報を委託先に渡す必要があり、自社内で管理するのが困難な場合があった。
【００１２】
そこで、本発明の目的は、バリュー処理機能を組み込む場合に、情報管理が容易な携帯端末装置などを提供することである。
【課題を解決するための手段】
【００１３】
本発明は、前記目的を達成するために、請求項１に記載の発明では、電子情報を処理する情報処理手段と、電子情報を記憶する記憶手段と、前記記憶手段に、貨幣情報を記憶する貨幣情報記憶手段を生成する生成手段と、所定の秘密情報を提供する提供サーバ装置に接続し、前記提供サーバ装置から前記秘密情報を受信する秘密情報受信手段と、前記記憶手段に、前記情報処理手段に貨幣情報処理を実行させるための貨幣情報処理プログラムと、前記受信した秘密情報を組み込む組み込み手段と、を具備し、前記貨幣情報処理プログラムは、所定の端末装置、又は所定のサーバ装置から、前記組み込んだ秘密情報を用いて金額変更情報を受信する金額情報受信機能と、前記受信した金額変更情報を用いて、前記貨幣情報記憶手段に記憶した貨幣情報の金額を変更する貨幣情報処理機能と、を前記情報処理手段で実現するための貨幣情報処理プログラムであることを特徴とする携帯端末装置を提供する。
請求項２に記載の発明では、前記秘密情報が、前記所定の端末装置、又は、前記所定のサーバ装置が、前記携帯端末装置を認証するための認証情報であることを特徴とする請求項１に記載の携帯端末装置を提供する。
請求項３に記載の発明では、前記提供サーバ装置から登録ＩＤ情報を受信するＩＤ情報受信手段と、情報を表示する表示手段と、を具備し、前記組み込み手段は、前記受信した登録ＩＤ情報を前記表示手段で表示可能に、前記記憶手段に組み込むことを特徴とする請求項１、又は請求項２に記載の携帯端末装置を提供する。
請求項４に記載の発明では、前記貨幣情報処理プログラムは、前記金額情報受信機能で前記所定の端末から金額変更情報を受信する際に前記組み込んだ登録ＩＤ情報を前記所定の端末に送信するＩＤ送信機能を、前記情報処理手段で実現することを特徴とする請求項３に記載の携帯端末装置を提供する。
請求項５に記載の発明では、電子情報を処理する情報処理手段と、電子情報を記憶する記憶手段と、生成手段と、秘密情報受信手段と、組み込み手段と、を備えたコンピュータにおいて、前記記憶手段に、貨幣情報を記憶する貨幣情報記憶手段を前記生成手段で生成する生成ステップと、所定の秘密情報を提供する提供サーバ装置に接続し、前記提供サーバ装置から前記秘密情報受信手段で前記秘密情報を受信する秘密情報受信ステップと、前記記憶手段に、前記情報処理手段に貨幣情報処理を実行させるための貨幣情報処理プログラムと、前記受信した秘密情報を前記組み込み手段で組み込む組み込みステップと、から構成され、前記貨幣情報処理プログラムは、所定の端末装置、又は所定のサーバ装置から、前記組み込んだ秘密情報を用いて金額変更情報を受信する金額情報受信機能と、前記受信した金額変更情報を用いて、前記貨幣情報記憶手段に記憶した貨幣情報の金額を変更する貨幣情報処理機能と、を前記情報処理手段で実現するための貨幣情報処理プログラムであることを特徴とする携帯端末方法を提供する。
請求項６に記載の発明では、電子情報を処理する情報処理手段と、電子情報を記憶する記憶手段と、を備えたコンピュータに、前記記憶手段に、貨幣情報を記憶する貨幣情報記憶手段を生成する生成機能と、所定の秘密情報を提供する提供サーバ装置に接続し、前記提供サーバ装置から前記秘密情報を受信する秘密情報受信機能と、前記記憶手段に、前記情報処理手段に貨幣情報処理を実行させるための貨幣情報処理プログラムと、前記受信した秘密情報を組み込む組み込み機能と、を発揮させる携帯端末プログラムであって、前記貨幣情報処理プログラムは、所定の端末装置、又は所定のサーバ装置から、前記組み込んだ秘密情報を用いて金額変更情報を受信する金額情報受信機能と、前記受信した金額変更情報を用いて、前記貨幣情報記憶手段に記憶した貨幣情報の金額を変更する貨幣情報処理機能と、を前記情報処理手段で実現するための貨幣情報処理プログラムであることを特徴とする携帯端末プログラムを提供する。
請求項７に記載の発明では、請求項１に記載の携帯端末装置に秘密情報を提供する提供サーバ装置であって、前記携帯端末装置に接続する接続手段と、前記接続した携帯端末装置に秘密情報を送信する送信手段と、を具備したことを特徴とする提供サーバ装置を提供する。
請求項８に記載の発明では、接続手段と、送信手段と、を備えたコンピュータにおいて、請求項１に記載の携帯端末装置に秘密情報を提供する提供サーバ方法であって、前記接続手段で前記携帯端末装置に接続する接続ステップと、前記接続した携帯端末装置に前記送信手段で秘密情報を送信する送信ステップと、から構成されたことを特徴とする提供サーバ方法を提供する。
請求項９に記載の発明では、請求項１に記載の携帯端末装置に秘密情報を提供するための提供サーバプログラムであって、前記携帯端末装置に接続する接続機能と、前記接続した携帯端末装置に秘密情報を送信する送信機能と、をコンピュータで実現する提供サーバプログラムを提供する。
請求項１０に記載の発明では、電子情報を処理する情報処理手段と、電子情報を記憶する記憶手段と、を備えた情報処理装置を接続する接続手段と、前記接続した情報処理装置の記憶手段に、貨幣情報を記憶する貨幣情報記憶手段を生成する生成手段と、所定の秘密情報を提供する提供サーバ装置に接続し、前記提供サーバ装置から前記秘密情報を受信する秘密情報受信手段と、前記情報処理手段に貨幣情報処理を実行させるための貨幣情報処理プログラムと、前記受信した秘密情報を、前記接続した情報処理装置の記憶手段に組み込む組み込み手段と、を具備し、前記貨幣情報処理プログラムは、所定の端末装置、又は所定のサーバ装置から、前記組み込んだ秘密情報を用いて金額変更情報を受信する金額情報受信機能と、前記受信した金額変更情報を用いて、前記貨幣情報記憶手段に記憶した貨幣情報の金額を変更する貨幣情報処理機能と、を前記情報処理手段で実現するための貨幣情報処理プログラムであることを特徴とする携帯端末装置を提供する。
請求項１１に記載の発明では、電子情報を記憶する記憶手段を接続する接続手段と、電子情報を処理する情報処理手段と、前記接続した記憶手段に、貨幣情報を記憶する貨幣情報記憶手段を生成する生成手段と、所定の秘密情報を提供する提供サーバ装置に接続し、前記提供サーバ装置から前記秘密情報を受信する秘密情報受信手段と、前記情報処理手段に貨幣情報処理を実行させるための貨幣情報処理プログラムと、前記受信した秘密情報を前記接続した記憶手段に組み込む組み込み手段と、を具備し、前記貨幣情報処理プログラムは、所定の端末装置、又は所定のサーバ装置から、前記組み込んだ秘密情報を用いて金額変更情報を受信する金額情報受信機能と、前記受信した金額変更情報を用いて、前記貨幣情報記憶手段に記憶した貨幣情報の金額を変更する貨幣情報処理機能と、を前記情報処理手段で実現するための貨幣情報処理プログラムであることを特徴とする携帯端末装置を提供する。
【発明の効果】
【００１４】
本発明によれば、携帯端末装置にバリュー処理機能を組み込むための秘密情報の管理が容易になる。
【発明を実施するための最良の形態】
【００１５】
以下、本発明の好適な実施の形態について詳細に説明する。
（１）実施形態の概要
インターネット接続機能を有する携帯電話に、非接触型電子マネーカードに使用されているのと同等の機能を有するＩＣチップと、サーバ装置がこのＩＣチップにバリュー処理機能を組み込むための補助プログラム（以下、組み込みプログラム）を備えておく。携帯電話販売時点では、このＩＣチップにはバリュー処理機能が組み込まれていない。ユーザは、携帯電話を購入後、携帯電話をサーバ装置に接続して通信を行いＩＣチップにバリュー処理機能を組み込む。
【００１６】
そして、この組み込みの際に、携帯電話は電子マネーサーバにＩＣチップＩＤ（ＩＣチップに一意的に割り当てられたＩＤ情報）など、電子マネーの事業者が必要とする情報を電子マネーサーバに送信すると共に、電子マネーサーバから電子マネーサービスを利用するのに必要な情報を受信してＩＣチップに組み込む。
これら受信して組み込む情報には、後述する鍵情報など、セキュリティに関する秘密情報が含まれている。
【００１７】
バリュー処理機能を組み込んだ後、これを動作させると、ＩＣチップは、電子マネーカードと同様に、バリューのチャージやバリューによる決済などのバリュー処理を行うことができる。
ＩＣチップは、電子マネーカードと同様に、電子マネー端末と無線通信を行うアンテナを備えており、電子マネー端末に携帯電話をセットして、携帯電話にバリューをチャージしたり、あるいは、携帯電話に記憶されているバリューで決済処理を行ったりすることができる。
更に、携帯電話はインターネット接続機能を有しているので、インターネット上のサーバ装置から、ＩＣチップバリューをチャージしたり、あるいはＩＣチップに記憶されているバリューで決済することも可能である。
【００１８】
なお、本実施の形態では、携帯電話がＩＣチップ（情報処理装置）を内蔵するものとして説明するが、これは、携帯電話に着脱可能に構成されており、携帯電話に装着して使用するように構成することも可能である。または、ＩＣチップのＣＰＵ（情報処理手段）に該当する機能部を携帯電話に構成し、ＩＣチップのメモリ（記憶手段）に該当する機能部を着脱可能に構成することもできる。
これら、ＩＣチップ又はメモリを着脱式とする場合、携帯電話側にコネクタ（接続手段）を設ける。
【００１９】
（２）実施形態の詳細
図１は、本実施の形態の電子マネー運用システム１の構成の一例を示した図である。
電子マネー運用システム１は、携帯電話７、電子マネーサーバ２、インターネット４、基地局５、電話回線網６、電子マネーカード１５、電子マネー端末８、８、８、…などから構成されている。
以下、これらの構成要素について説明する。
【００２０】
携帯電話７（携帯端末装置）は、電話機能部１０、電子マネー機能部１２、及びこれらを接続する中継部２７から構成されている。
電話機能部１０は、インターネット接続機能を有するデジタル式電話としての機能を有する機能部であり、電子マネー機能部１２は、電子マネーカード１５（後述）と同様にバリューの記憶、及びバリューの処理を行うことができる機能部である。
【００２１】
電話機能部１０と電子マネー機能部１２は、中継部２７を介して通信を行うことができる。
ここで、バリューとは、貨幣価値の金額を電子情報として表した貨幣情報であり、金銭と同等の交換価値を持つ。貨幣情報を加減操作して価値の移動を生じさせることにより、バリューを決済に利用することができる。
電話機能部１０は、通話モードとアプリケーションモードの２つのモードを備えている。ユーザは、通話モードにて通話サービスを利用することができ、アプリケーションモードにてアプリケーションが提供するサービスを提供することができる。
【００２２】
電話機能部１０は、基地局５と無線通信することができ、基地局５を介して電話回線網６、又はインターネット４に接続することができる。
携帯電話７を通話モードで利用する場合は、電話回線網６を介して携帯電話７と相手の電話機との間で通話回線を確立することができる。
携帯電話７をアプリケーションモードで利用する場合は、インターネット４に接続して各種サーバ装置が提供するサービスを利用することができる他、オフライン（インターネット４に接続していない状態）でゲームなどのサービスを利用することもできる。
【００２３】
図２は、携帯電話７の外観の一例を示した図である。携帯電話７は、電話アンテナ１９、スピーカ２０、ディスプレイ２１、キーボード２２、マイクロフォン２３を備えている。
電話アンテナ１９は、基地局５と無線通信するためのアンテナである。
スピーカ２０は、電気信号を変換して音声を発生させる装置である。通話モードにおいては通話相手が発生する音声が出力され、アプリケーションモードでは、サーバ装置から送信されてきた音声データなどが再生される。
【００２４】
ディスプレイ２１は、文字や画像を表示するための表示装置であり、例えば、液晶ディスプレイ、あるいはプラズマディスプレイなどで構成されている。
通話モードにおいては、ディスプレイ２１は、電波の受信状態、ユーザが入力した電話番号、あるいは、通話相手の電話番号など、通話に関する通話情報が表示される。
【００２５】
アプリケーションモードにおいては、ディスプレイ２１は、アプリケーションが提供する画面を表示する。
インターネット接続時においては、サーバ装置が送信してきた画面データを用いた画面が表示される。
オフラインの場合は、ゲーム画面など、アプリケーションが提供する各種の画面が表示される。例えば、電子マネー機能部１２に記憶されているバリューの残高や履歴を表示させることもできる。
【００２６】
キーボード２２は、数字や文字などの文字情報を入力するための文字キーや、機能キーを備えている。機能キーとは、携帯電話７の電源をオンオフしたり、通話モードとアプリケーションモードを切り替えたり、あるいは、ディスプレイ２１に表示されているカーソルを移動したり、ディスプレイ２１に表示されているボタンをクリックしたりなどする特定の機能が割り当てられたキーである。
【００２７】
ユーザは、キーボード２２のキーを押すことにより、所望のＷｅｂサイトのＵＲＬ（Ｕｎｉｆｏｒｍ  Ｒｅｓｏｕｒｃｅ  Ｌｏｃａｔｏｒｓ）を入力したり、画面に表示された入力欄に情報を入力したり、画面に表示された項目を選択したりなど、各種の入力操作を行うことができる。
この機能を用いて電子マネーサーバ２のサービスサイト（電子マネーに関するサービスを提供するためのＷｅｂサイト）のＵＲＬを入力したり、また、このサービスサイトが提供する画面上で、バリュー処理機能の組み込みを選択し、携帯電話７にバリュー処理機能を組み込むこともできる。
マイクロフォン２３は、音声を取得して電気信号に変換する装置である。ユーザは、マイクロフォン２３から音声を入力することができる。
【００２８】
次に、携帯電話７が備えている各種機能のうち、バリュー処理に関するものについて説明する。
携帯電話７の有する機能は、バリュー処理機能を組み込む前の状態と、組み込んだ後の状態で異なる。まず、図３を用いてバリュー処理機能を組み込む前の機能的な構成について説明する。
【００２９】
図３は、バリュー処理機能を組み込む前の携帯電話７の機能的な構成を示した図である。
図３は、バリュー処理機能を組み込む前であるので、図１で示した電子マネー機能部１２をＩＣ機能部１２ａとして記してある。
後述するように、電話機能部１０、ＩＣ機能部１２ａは、それぞれＣＰＵ（Ｃｅｎｔｒａｌ  Ｐｒｏｃｅｓｓｉｎｇ  Ｕｎｉｔ）を備えており、これらのＣＰＵで所定のプログラムを実行することにより、各種の機能部をソフトウェア的に構成することができる。
【００３０】
図３に示したように、ＩＣ機能部１２ａは中央処理部２８ａ（情報処理手段）と記憶部２９ａ（記憶手段）を備えている。
また、図示しないが、ＩＣ機能部１２ａは、非接触型ＩＣカードが電子マネー端末８と通信するアンテナと同等の機能を有するアンテナを備えており（以下、端末アンテナ）、電子マネー端末８などの非接触型ＩＣカード用の端末にアクセスすることができるようになっている。
【００３１】
記憶部２９ａは、読み書き可能であり複数のプログラムやデータを記憶することができる。
携帯電話７がユーザに販売された時点では、記憶部２９ａには、ＩＣ機能部１２ａを動作させるための基本的なプログラムがインストールされている。
このような基本的なプログラムとしては、例えば、ファイルの入出力処理を行ったり、ＩＣ機能部１２ａを制御したりなどするＯＳ（Ｏｐｅｒａｔｉｎｇ  Ｓｙｓｔｅｍ）、ＩＣ機能部１２ａが非接触型ＩＣカード用の端末と無線通信するための通信プログラムなどがある。
【００３２】
中央処理部２８ａは、所定のプログラムを実行し、演算処理、ＩＣ機能部１２ａ全体の制御、データの入出力などの様々な情報処理を行う機能部である。
中央処理部２８ａは、記憶部２９ａ、アプリケーション部２６からプログラムやデータを読み込むことができる。また、端末アンテナを介して非接触ＩＣ型ＩＣカード用の端末からプログラムやデータを無線で受信して読み込むこともできる。
【００３３】
中央処理部２８ａにインストール用のプログラムを読み込ませてこれを実行させると、記憶部２９ａに各種の応用プログラムを組み込むことができる。インストール用のプログラムは、応用プログラム毎に用意されている。
中央処理部２８ａは、インストール用のプログラムを実行すると、まず、記憶部２９ａに、応用プログラムを組み込むための領域を確保する（インストールする応用プログラムが予めわかっている場合は、そのための領域を予め確保しておくこともできる）。
そして、確保した領域を応用プログラムのデータ形式に適合するようにフォーマットした後、その領域に応用プログラムを書き込む。
記憶部２９ａに応用プログラムを組み込んだ後は、これを中央処理部２８ａに読み込んで実行することができる。
本実施の形態では、記憶部２９ａにバリュー処理用の応用プログラム（以下、バリュー処理プログラム）をインストールして中央処理部２８ａにバリュー処理機能を実現させる。
【００３４】
中継部２７は、電話機能部１０とＩＣ機能部１２ａが行う通信を中継する機能部（インターフェース）である。中継部２７は、電話機能部１０とＩＣ機能部１２ａとの通信を中継する際に、ＩＣ機能部１２ａが電話機能部１０に送信するデータを暗号化したり、あるいは、電話機能部１０がＩＣ機能部１２ａに送信する暗号化されたデータを復号化したりすることができる。
これは、電話機能部１０が電子マネーサーバ２と送受信するデータを復号暗号化することにより、セキュリティを高めるためである。
電子マネーサーバ２も、電話機能部１０から受信されたデータを復号化する手段と、携帯電話７に送出するデータを暗号化する手段を備えている。
【００３５】
また、電話機能部１０とＩＣ機能部１２ａが対応する通信形式が異なる場合は、これらを変換するように構成することもできる。
これは、例えば、ＩＣ機能部１２ａが非接触型ＩＣカードと同じ通信形式で通信を行うように構成されているのに対し、電話機能部１０は、インターネット４での通信形式に対応しているため、電話機能部１０からＩＣ機能部１２ａにアクセスするためには通信形式を変換する必要がある場合も考えられるからである。
【００３６】
アプリケーション部２６は、携帯電話７で各種のアプリケーションを提供する機能部である。
アプリケーション部２６が提供する機能としては、携帯電話７をインターネット４に接続するインターネット接続機能、ＩＣ機能部１２ａに組み込まれている応用プログラムを利用するＩＣ機能部利用機能、ゲームやカレンダーなど各種サービスを提供するサービス提供機能などがある。
【００３７】
インターネット接続機能を提供する場合、アプリケーション部２６はＵＲＬの入力を受け付けて、当該ＵＲＬで特定されるＷｅｂサイトに携帯電話７を接続し、そして、接続先のサイトが送信してくる情報（画像情報、文字情報、音声情報）を再生したり、携帯電話７から各種情報を接続先のサイトに送信したりするブラウザとしての機能を果たす。
【００３８】
アプリケーション部２６は、電子マネーサーバ２がＩＣ機能部１２ａにバリュー処理プログラム（貨幣情報処理プログラム）をインストールする際にこれを補助する組み込み部２６ａ（組み込み手段、生成手段）を備えている。
組み込み部２６ａは、中央処理部２８ａ及び電子マネーサーバ２と通信しながら記憶部２９ａにバリュー処理プログラムをインストールする（組み込む）。
【００３９】
より詳細には、組み込み部２６ａは電子マネーサーバ２と共同して動作し、中央処理部２８ａにバリュー処理プログラムをインストールするためのプログラムを送信する。そして、送信したプログラムを中央処理部２８ａに実行させて、これにより、記憶部２９ａにバリュー処理プログラムをインストールする。
インストールするためのプログラムは、インストール時に電子マネーサーバ２からダウンロードするように構成してもよいし、あるいは、予め組み込み部２６ａに備えておいてもよい。
【００４０】
組み込み部２６ａは、バリュー処理プログラムをインストールするに際して、電子マネーサーバ２から後述する鍵情報（電子マネー端末８が携帯電話７を認証するのに用いる認証情報）や電子マネーＩＤ（登録ＩＤ情報）など、バリュー処理プログラムを実行する上で必要な情報を受信して記憶部２９ａに記憶させる他、ＩＣ機能部１２ａを構成するＩＣチップのＩＣチップＩＤなど、電子マネーサーバ２が電子マネーサービスを提供するのに必要な情報を電子マネーサーバ２に送信する。
【００４１】
次に、図４を用いてＩＣ機能部１２ａにバリュー処理機能を組み込んだ後の携帯電話７の機能的な構成について説明する。
ＩＣ機能部１２ａでバリュー処理プログラムを実行すると、図４に示したように、バリュー処理部２８、ログデータ記憶部２９（貨幣情報記憶手段）からなる電子マネー機能部１２がＩＣ機能部１２ａに生成される。
なお、バリュー処理プログラムは、常時実行されているように構成してもよいし、ＩＣ機能部１２ａに他の応用プログラムもインストールされている場合は、必要に応じて該当する応用プログラムが起動されるように構成してもよい。
【００４２】
ログデータ記憶部２９は、バリューに関するログデータを記憶する機能部である。このログデータは、例えば、バリューの書き込み、減算、残高参照などのバリュー処理が行われた場合に、これらの処理内容を記録した履歴情報である。ログデータを参照することにより、携帯電話７に蓄えられているバリューの現在の残高や、バリュー処理の履歴を知ることができる。
【００４３】
ログデータとして記録する内容は、処理が行われた日時、処理の種類、処理によってバリューの金額が変化した場合はその変化の値（例えば、バリューを書き込んだ場合は書き込んだバリューの金額、バリューを減算した場合は、減算したバリューの金額）、アクセスしてバリューを処理した電子マネー端末８の端末ＩＤ、現在のバリュー残高などの情報がある。
なお、アプリケーション部２６からこれらの情報にアクセスし、ディスプレイ２１に表示することができる。
【００４４】
バリュー処理部２８は、電子マネー端末８やアプリケーション部２６などと通信し（金額情報受信機能）、ログデータ記憶部２９に記憶されているバリューの処理（貨幣情報処理機能）を行う。
後述するように電子マネー端末８は、電子マネーカード１５と無線通信するためのアンテナを備えたリーダライタ部８ａを有しており、ここに携帯電話７を置くなどして近接させると、バリュー処理部２８はリーダライタ部８ａと無線通信を行うことができる。
【００４５】
また、アプリケーション部２６と中継部２７を介して、電子マネーサーバ２とバリュー処理部２８を通信させて、バリュー処理部２８にバリュー処理を行わせることもできる。
このように、バリュー処理部２８は、電子マネー端末８、アプリケーション部２６、及び電子マネーサーバ２と通信を行うことができる。
【００４６】
バリュー処理部２８は、コマンドの入力を受け付け、このコマンドで特定される情報処理を実行する。
コマンドの種類は各種用意されており、例えば、バリューを加算する書き込みコマンド、バリューを減算する減算コマンド、バリューの残高を照会する残高照会コマンドなどがある。
これらのコマンドは、電子マネー端末８、アプリケーション部２６、及び電子マネーサーバ２から入力することができる。
【００４７】
ただし、アプリケーション部２６が単独で入力できるコマンドは、例えば残高参照コマンドなど、バリューの金額に変動が生じないものとなっている。
これは、バリューの金額が変動する処理を行う場合、実際の貨幣との対応をとらなければならないので、電子マネー事業者の関知しない範囲でバリューを独自に加減算することを防止するためである。
金額の変動を生じさせるコマンドは、金額変更情報を構成している。
【００４８】
書き込みコマンドは、書き込むバリューの金額、端末ＩＤ、処理を行う日時、加盟店を特定する加盟店ＩＤなど、バリューの書き込み処理に関する情報をパラメータとして付属させることができる。書き込みコマンドをバリュー処理部２８に入力すると、バリュー処理部２８は、ログデータ記憶部２９のログデータを更新し、パラメータで指定された金額のバリューを現在残高に加算する加算処理を行う。この加算処理を実行することによりバリューをチャージすることができる。
【００４９】
減算コマンドは、減算するバリューの金額、端末ＩＤ、処理を行う日時、加盟店ＩＤなど、決済処理に関する情報をパラメータとして付属させることができる。減算コマンドをバリュー処理部２８に入力すると、バリュー処理部２８は、ログデータ記憶部２９のログデータを更新し、パラメータで指定された金額のバリューを現在残高から減算する減算処理を行う。この減算処理を実行することによりバリューによる決済（支払い）処理を行うことができる。
【００５０】
残高参照コマンドは、バリューの現在残高を取得するためのコマンドであり、残高参照コマンドをバリュー処理部２８に入力すると、バリュー処理部２８は、ログデータ記憶部２９のログデータを検索し、バリューの現在残高を返す。
バリュー処理部２８が返した現在残高をディスプレイ２１に表示することにより、ユーザに現在残高を知らせることができる。
【００５１】
バリュー処理部２８を動作させるためのコマンドは、他にも各種用意されており、例えば、電子マネー機能部１２を構成するＩＣチップのＩＣチップＩＤを読み出すコマンドや、電子マネーＩＤを読み出すコマンド、電子マネー端末８に認証のための鍵情報を送信するコマンドなどがある。
【００５２】
中継部２７は、アプリケーション部２６と電子マネー機能部１２が行う通信を中継する。
アプリケーション部２６は、電子マネー端末８と同様に、中継部２７を介して各種コマンドをバリュー処理部２８に入力することができ、この場合、中継部２７は、リーダライタ部８ａと同様の機能を果たしている。
なお、電子マネー端末８と電子マネー機能部１２との間の通信は暗号化されている。
【００５３】
アプリケーション部２６は、中継部２７を介してバリュー処理部２８にアクセスすることができ、バリュー処理部２８に各種コマンドを入力してバリューの残高が変動しない範囲（残高参照など）でバリュー処理部２８を動作させる他、電子マネーサーバ２と接続して電子マネーサーバ２とバリュー処理部２８との通信を中継部２７と共に仲介したりなどする。
【００５４】
以上に説明したように、バリュー処理部２８と通信する方法は、電子マネー端末８から無線により通信する場合と、中継部２７を介して通信する場合の２通りがある。
そのため、電子マネー端末８から書き込みコマンドや減算コマンドをバリュー処理部２８に入力して、バリューのチャージやバリューによる決済処理を行うことができる他、電子マネーサーバ２からアプリケーション部２６を介してこれらのコマンドをバリュー処理部２８に入力して、インターネット４上でバリューをチャージしたり、バリューによる決済処理を行うこともできる。
【００５５】
次に、携帯電話７のハードウェア的な構成の一例について図５を用いて説明する。なお、図５は、バリュー処理機能を組み込んだ後の構成となっている。
電話機能部１０は、インターネット４に接続する機能を備えたデジタル式携帯電話を構成する部分であり、電話アンテナ４０、基地局通信部４１、電話制御部２００、記憶部４５、表示部４６、操作部４７、デジタル信号処理部４８、音声入出力部４９などから構成されている。
電話アンテナ４０は、基地局５に対して電波を放射したり、あるいは基地局５のアンテナが放射した電波を吸収したりする。これにより、携帯電話７は、基地局５と無線通信することができ、基地局５を介した電話通話、及びインターネット４への接続を行うことができる。
【００５６】
基地局通信部４１（秘密情報受信手段、ＩＤ情報受信手段）は、電話アンテナ４０を駆動するための機能部であって、電話アンテナ４０から送信する信号を増幅したり、基地局５から受信した信号を増幅して電話制御部２００に提供したりなどする。
電話制御部２００は、ＣＰＵ４２、ＲＯＭ（Ｒｅａｄ  Ｏｎｌｙ  Ｍｅｍｏｒｙ）４３、ＲＡＭ（Ｒａｎｄｏｍ  Ａｃｃｅｓｓ  Ｍｅｍｏｒｙ）４４などから構成されている。
【００５７】
ＣＰＵ４２は、所定のプログラムを実行し、各種の情報処理を行う中央処理装置であって、電話機能部１０にインターネット接続機能を備えた携帯電話としての機能を発揮させることができる。
ＣＰＵ４２は、ＲＯＭ４３やＲＡＭ４４、あるいは記憶部４５に格納されているプログラムを実行することにより、電話機として機能したり、あるいは、インターネット４の端末として機能する。また、中継部２７を介して電子マネー機能部１２にアクセスすることもできる。
【００５８】
ＲＯＭ４３は、ＣＰＵ４２が読み取り可能に配設された読み取り専用メモリであり、ＣＰＵ４２が実行するプログラムやパラメータなどが格納されている。
ＲＯＭ４３には、例えば、ＣＰＵ４２が動作するための基本的なプログラムであるＯＳが格納されている。
ＲＡＭ４４は、ＣＰＵ４２が動作する際に、ＣＰＵ４２にワーキングエリアを提供する読み書き可能なメモリである。
【００５９】
記憶部４５は、ＣＰＵ４２が利用するプログラムやデータなどが格納されている。記憶部４５は、ＣＰＵ４２が読み書き可能なメモリであって、例えば、フラッシュメモリやＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）などが利用される。
本実施の形態では、記憶部４５には、ＣＰＵ４２にアプリケーション機能を実現するためのアプリケーションプログラム４５ａと、電子マネーサーバ２がバリュー処理機能を組み込むのを補助する組み込みプログラム４５ｃが格納されている。
【００６０】
アプリケーションプログラム４５ａ、組み込みプログラム４５ｃをＣＰＵ４２で実行すると、それぞれ、アプリケーション部２６（図３）、組み込み部２６ａがソフトウェア的に構成される。
なお、図示しないが、記憶部４５には、この他に、ユーザが登録した電話番号や電子メールアドレス、仮名漢字変換プログラム、その他の情報が記憶されている。
【００６１】
表示部４６は、ディスプレイ２１（図２）に文字情報や画像を表示する機能部である。
表示部４６は、通話モードでは、ユーザが登録した電話番号の一覧を選択可能に表示したり、基地局５から送信されてくる電波の強弱の程度、ユーザが入力した電話番号、あるいは、電話をかけてきた相手方の電話機の電話番号など、通話に用いるための情報を表示する。
【００６２】
アプリケーションモードでは、アプリケーションプログラム４５ａが提供するアプリケーション画面などを表示し、ＵＲＬの入力欄、サーバ装置が送信してくる画面、電子メールなどを表示する。また、バリューの残高を表示することもできる。
操作部４７は、キーボード２２を備えており、ユーザのキー操作を電気信号に変換してＣＰＵ４２に入力する。
【００６３】
音声入出力部４９は、マイクロフォン２３とスピーカ２０を備えており、マイクロフォン２３で受信した音声をアナログ信号に変換し、また、アナログ信号を音声に変換してスピーカ２０から出力したりなどする。
ユーザは、マイクロフォンから自分の音声を電気信号に変換して電話機能部１０に入力することができると共に、電話機能部１０が出力する音声信号を音声に変換してスピーカから聞くことができる。
【００６４】
デジタル信号処理部４８は、音声データをアナログ信号からデジタル信号に変換し、あるいはデジタル信号からアナログ信号に高速に変換する機能部であり、例えば、ＤＳＰ（Ｄｉｇｉｔａｌ  Ｓｉｇｎａｌ  Ｐｒｏｃｅｓｓｏｒ）を用いて構成されている。また、音声データの圧縮や伸張も行う。
マイクロフォンとスピーカは、アナログ信号を用いるのに対し、電話機能部１０の他の機能部はデジタル信号を用いる。そこで、デジタル信号処理部４８は、音声信号を入力する場合は、マイクロフォンから出力されたアナログ信号をデジタル信号に変換して更に圧縮し、音声信号を出力する場合は、電話機能部１０が出力するデジタル信号を伸張してアナログ信号に変換し、スピーカに対して出力する。
【００６５】
電子マネー機能部１２は、端末アンテナ３５、端末通信部３１、ＩＣ制御部３００、記憶部３６などから構成されている。これらのうち、端末アンテナ３５を除く構成要素は１つのＩＣチップに納められている。
また、ＩＣ制御部３００と電話制御部２００は、中継部２７により接続している。
本実施の形態では、電子マネー機能部１２は、携帯電話７に内蔵されているものとするが、これに限定するものではなく、着脱式とすることもできる。
【００６６】
端末アンテナ３５は、電子マネー端末８のリーダライタ部８ａに配設されたアンテナと電波による通信を行う。
端末通信部３１は、端末アンテナ３５を駆動する他、送受信する信号を増幅したりなどする。
ＩＣ制御部３００は、ＣＰＵ３２、ＲＯＭ３３、ＲＡＭ３４などから構成されている。
ＣＰＵ３２は、ＲＯＭ３３、ＲＡＭ３４、記憶部３６などに格納されているプログラムを実行することによりバリュー処理を行う中央処理装置である。
【００６７】
ＲＯＭ３３は、ＣＰＵ３２が読み取り可能に配設された読み取り専用メモリである。ＲＯＭ３３には、例えば、ＣＰＵ３２を動作させるための基本的なプログラムであるＯＳなどが格納されている。
また、ＩＣチップの製造段階で、各ＩＣチップに固有のＩＣチップＩＤが割り当てられるが、このＩＣチップＩＤもＲＯＭ３３に格納されている。
ＩＣチップＩＤは、工場出荷後変更することはなく、また一般にユーザが読み取れないようになっている。
ＲＡＭ３４は、ＣＰＵ３２が動作する際に、ＣＰＵ３２にワーキングエリアを提供する読み書き可能なメモリである。
【００６８】
記憶部３６は、例えば、フラッシュメモリやＥＥＰＲＯＭなどで構成され、ＣＰＵ３２が読み書き可能に配設された記憶媒体である。記憶部３６には、応用プログラムやその他のデータを記憶することができる。
記憶部３６には、バリュー管理を行うための電子マネー領域３６ａが確保されている。電子マネー領域３６ａは、組み込み部２６ａがバリュー処理機能を電子マネー機能部１２に組み込むために形成したものである。
電子マネー領域３６ａには、更にプログラムを記憶するプログラム領域３６ｂとログデータを記憶するログデータ領域３６ｃが形成されている。
【００６９】
プログラム領域３６ｂには、バリュー処理機能をＣＰＵ３２に実現させるためのバリュー処理プログラムがインストールされている。バリュー処理プログラムをＣＰＵ３２で実行するとバリュー処理部２８やログデータ記憶部２９（図４）がソフトウェア的に構成される。
また、プログラム領域３６ｂには、組み込み部２６ａでバリュー処理機能を組み込む際に、電子マネーサーバ２から送信されてきた鍵情報、電子マネーＩＤも記憶されている。
ログデータ領域３６ｃには、バリュー処理に関するログデータが記憶されており、ログデータ記憶部２９（図４）を構成している。
【００７０】
記憶部３６に組み込む応用プログラムは、バリュー処理プログラムの他に、例えば、通勤定期券としての機能を果たす定期券プログラム（改札口で携帯電話７をかざすと駅構内に入退場することができる）やその他の応用プログラムを組み込むことができ、それらを選択的に駆動することが可能である。
【００７１】
以上に説明したように、携帯電話７は、バリュー処理機能をも有しており、ユーザは、携帯電話７を電子マネー端末８にセットして、バリューのチャージやバリューによる決済処理を行うことができるのみならず、電子マネーサーバ２を用いてバリューのチャージやバリューによる決済処理を行うことができる。
【００７２】
次に、インターネット４、基地局５、電話回線網６（図１）について説明する。
インターネット４は、各種サーバ装置や端末を接続するインターネットであり、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）やその他のプロトコルを用いて通信を行うことができる。
インターネット４では、一般にパケット通信という手法が用いられている。パケット通信とは、データをパケットと呼ぶ単位に分割して送信する通信方式である。各パケットには、送信先を特定する送信先特定情報や、送信先でパケットから元のデータを復元するための復元情報がヘッダーとして付属している。
受け側は、パケットを組み立てて元のデータを復元することができる。
【００７３】
図示しないが、インターネット４には、各種サーバ装置が接続されており、これらサーバ装置には、各種のサービスを提供するＷｅｂサイトが開設されている。そして、これらサイトは、ＵＲＬで特定することができる。
また、電子メールの送受信もインターネット４を用いて行うことができる。電子メールの送信先であるメールアカウントは電子メールアドレスで特定する。
電子メールでは、文字データのみならず、画像データやプログラム、その他のデータを添付して送受信することができる。
【００７４】
基地局５は、携帯電話７と無線通信を行い、携帯電話７のユーザに対して通話サービス又はインターネット接続サービスを行う。
基地局５は、ユーザが携帯電話７から通話モードで接続してきた場合は、回線を電話回線網６に接続して通話を行えるようにし、アプリケーションモードで接続してきた場合は、インターネット４に接続してＷｅｂサーバが提供するサービスを利用することができるようにする。
また、図１では、インターネット４と電話回線網６を別のものとして表しているが、これは、機能的な観点から区別したものであり、物理的には共通の伝送媒体を用いて構成することが可能である。
この伝送媒体としては、例えば、各種ケーブル、光ファイバー、人工衛星を介した回線などを用いることができる。
【００７５】
次に、電子マネーサーバ２（図１）について説明する。
図６は電子マネーサーバ２（提供サーバ装置）の機能的な構成の一例を示した概念図である。電子マネーサーバ２は、インターネット回線を介してインターネット４と接続している他、通信回線を介して電子マネー端末８、８、８、…と接続している。
電子マネーサーバ２は、サービスサイト部５６、組み込み登録部５７、認証部５８、取引処理部５９、その他の各種機能部と、ユーザ情報データベース５４、取引情報データベース５５、その他の各種データベースから構成されている。
【００７６】
本実施の形態では、電子マネーサーバ２で電子マネーによるサービスの提供を行うこととしたが、これに限定せず、複数のサーバ装置を組み合わせたシステムにより構成してもよい。
例えば、電子マネー用のサービスサイトを開設したＷｅｂサーバ、ユーザ認証を行う認証サーバ、取引処理を行う取引処理サーバ、バリュー処理機能の組み込みを行う組み込みサーバ、などのサーバ装置を組み合わせて構成することもできる。
【００７７】
サービスサイト部５６は、インターネット４上で電子マネーのサービスに関するＷｅｂサイトを運営する機能部である。
ユーザは、携帯電話７やその他の端末からサービスサイトのＵＲＬを入力することにより、サービスサイトにアクセスすることができ、サービスサイトが提供する各種サービスを利用することができる。
【００７８】
サービスサイトにアクセスすると、電子マネーサーバ２は携帯電話７にメインメニュー画面を表示するための画面データを送信する。メインメニュー画面には、サービスサイトが提供するサービスの項目が選択可能に表示され、ユーザは、所望の項目を選択することができる。
サービスの項目としては、例えば、ユーザ登録、ユーザ登録情報の変更、バリューのチャージ、バリューによる決済処理などの電子マネーの利用に関するものがある他、キャンペーンなどのお知らせの提供や顧客からの問い合わせの受け付けなど各種のものが用意されている。
また、バリュー処理機能の組み込みは、ユーザ登録を行う際に併せて行うことができるようになっている。
【００７９】
組み込み登録部５７は、ユーザ登録、携帯電話７へのバリュー処理機能の組み込み、登録の抹消、登録内容の変更など、ユーザの登録情報やバリュー処理機能の組み込みに関する処理を行う機能部である。
組み込み登録部５７は、ユーザがメインメニュー画面でユーザ登録やユーザ登録情報の変更など、ユーザの登録情報に関する項目を選択すると起動するようになっている。
【００８０】
ここでは、ユーザが新規に登録する場合について説明する。ユーザがメインメニュー画面でユーザ登録を選択すると、組み込み登録部５７は、携帯電話７に登録画面を表示するための画面データを送信する。
登録画面には、ユーザ氏名、パスワード、イシュアなどの登録情報を入力するための欄が設けられている。ユーザは、これらの欄に情報を入力して電子マネーサーバ２に送信することができる。
組み込み登録部５７は、これらの情報をユーザ情報データベース５４に記憶し、バリュー処理機能の組み込み処理に移行する。なお、バリュー処理機能を組み込み処理の前に利用約款をユーザに提示し、ユーザがこれを了承した場合に組み込み処理を行うように構成することもできる。この時点で組み込みを行わない場合は後日改めて行うこともできる。
【００８１】
組み込み登録部５７は、組み込み処理を組み込み部２６ａ（図３）と共同して行う。まず、組み込み登録部５７は、ＩＣチップＩＤを携帯電話７から受信してユーザ情報データベース５４に記憶する。このＩＣチップＩＤは、組み込み部２６ａがＩＣ機能部１２ａから読み出したものである。
そして、電子マネーＩＤを採番して携帯電話７に送信すると共に、これをユーザ情報データベース５４に記憶する。
また、組み込み登録部５７は、鍵情報やその他セキュリティを確保する上で必要な秘密情報を備えており、これら秘密情報やその他の必要なデータも携帯電話７に送信する。
【００８２】
バリュー処理プログラムをインストールするためのプログラムを電子マネーサーバ２から携帯電話７に送信するように構成されている場合は、このプログラムを携帯電話７に送信する。携帯電話７が予めこのプログラムを備えている場合は、送信する必要はない。
【００８３】
図７は、ユーザ情報データベース５４に格納されているユーザ情報の論理的な構成の一例を示した図である。
ユーザ情報は、電子マネーＩＤ６１、ユーザ名６２、パスワード６３、イシュア６４、ＩＣチップＩＤ６５、ステータス６６、…などの項目から構成されている。
【００８４】
電子マネーＩＤ６１は、携帯電話７にバリュー処理機能を組み込む際に、組み込み登録部５７が発行した電子マネーＩＤである。
図示しないが、電子マネーサーバ２は、電子マネーＩＤを採番するための採番テーブルを備えており、電子マネーＩＤ６１は、組み込み登録部５７がこのテーブルから採番したものである。
ユーザ名６２は、ユーザが登録画面で入力した氏名である。
パスワード６３は、サービスを利用しようとするユーザが、本人であるか確認するための情報であり、ユーザ登録時にユーザが設定したものである。
【００８５】
イシュア６４は、ユーザがインターネット４経由で電子マネーサーバ２からバリューをチャージする場合、そのバリューが何れのイシュアから発行されたかを特定する情報であり、ユーザ登録時にユーザが複数のイシュアの中から選択したものである。
図示しないが、電子マネーサーバ２は、イシュアを登録したイシュアマスタを備えており、ユーザは、この中から選択するようになっている。
なお、イシュアとは、バリューを発行する発行者であり、事業運営上の理由から複数存在する。また、発行されたバリューは、イシュアに関わらず、何れの電子マネー端末８でも利用することができる。
【００８６】
ＩＣチップＩＤ６５は、バリュー処理機能組み込み時に携帯電話７が電子マネーサーバ２に送信してきたものである。
本実施の形態では、このように、ＩＣチップＩＤを登録するので、ユーザ登録は携帯電話７から行うものとする。ＩＣチップＩＤを登録しない場合は、携帯電話７以外の端末から登録することも可能である。
【００８７】
ステータス６６は、各ユーザ毎に「未組み込み」と「組み込み済み」のステータスを設定するものである。
組み込み登録部５７は、ユーザ登録を受け付けてから、組み込み処理が終わるまでは、ステータスを「未組み込み」に設定し、組み込み処理を完了するとステータスを「組み込み済み」に更新する。
【００８８】
図６に戻り、認証部５８は、登録済みのユーザがサービスサイトを利用する際にユーザを認証する機能部である。
サービスサイト部５６が提供するサービスは、認証を必要としないものと認証を必要なものがある。ユーザは認証を受けることにより認証を必要とするサービスを受けることができる。
認証部５８は、携帯電話７にパスワードを入力するための画面データを送信し（これにより図２に示したようなパスワード入力画面が表示される）、携帯電話７からユーザが入力したパスワード、ＩＣチップＩＤ、電子マネー番号を受信する。
そして、これらの情報をユーザ情報データベース５４に記憶している情報と照合し、これらの情報が合致するものがあった場合に正規のユーザとして認証する。
【００８９】
このように認証するとユーザを特定することができるため、このユーザに特化したサービスを提供することもできる。
また、ユーザの認証を行うのにパスワード、ＩＣチップＩＤ、電子マネーＩＤの全てを用いる必要はなく、これらのうち、少なくとも１つを用いて認証を行うように構成してもよい。
【００９０】
取引処理部５９は、各ユーザの取引記録を取引情報データベース５５に記録する機能部である。
取引処理部５９は、携帯電話７や電子マネーカード１５を用いてチャージや決済処理、バリューに関するその他が行われた場合に、これらを取引情報データベース５５に記録する。
【００９１】
図８は、取引情報データベース５５に格納されている取引情報の論理的な構成の一例を示した図である。
取引情報は、電子マネーＩＤ６７、チャージ記録６８、決済記録６９などの項目から構成されている。
チャージ記録６８は、チャージを行った端末のＩＤ情報、チャージを行った日時、チャージしたバリューの金額などが記録されている。
電子マネーＩＤ６７は、電子マネー端末８が携帯電話７（又は電子マネーカード１５）から読み取ったものである。また、インターネット４を介して電子マネーサーバ２と通信する場合は、電子マネーサーバ２が携帯電話７から読み取る。
【００９２】
例えば、記録７１は、端末ＩＤとして図７一段目のＩＣチップＩＤが記録されている。このように、インターネット４を介して電子マネーサーバ２からバリューのチャージを行った場合は、チャージを行った携帯電話７のＩＣチップＩＤが記録される。
また、記録７２は、端末ＩＤ「３４７８９５」で特定される電子マネー端末８で３０００円分のバリューをチャージしたことを示している。
【００９３】
決済記録６９は、決済処理を行った端末、決済処理を行った日時、決済処理を行ったバリューの金額、などから構成されている。例えば、記録７３は、端末ＩＤ「２５４７６５７」の電子マネー端末８において２０００円分のバリューを決済したことを示している。
また、インターネット４を介して電子マネーサーバ２を用いてバリューによる決済を行った場合は、端末ＩＤとして携帯電話７のＩＣチップＩＤが記録される。
【００９４】
取引情報データベース５５に格納されている取引情報を分析することにより、イシュアから集めた現金をバリューで決済した店舗に配分したり、また偽造電子マネーカードの監視をしたりなど、業務の遂行に利用できる情報を収集することができる他、ユーザが購入した商品も同時に記録しておくなどして、マーケットリサーチなどのデータマイニングを行うことができる。
なお、取引処理部５９は、必ずしもリアルタイムで情報処理をする必要はなく、電子マネー端末８で取引情報を蓄積しておき、これを後ほど受信して取引情報データベース５５を更新することができる。このため、電子マネー運用システム１では、店頭でチャージや決済する際に電子マネーサーバ２にアクセスする必要が無く、そのためこれらの処理を高速に行うことができる。
【００９５】
本実施の形態の電子マネー運用システム１では、決済処理に使用するバリューは携帯電話７や電子マネーカード１５に蓄えられており、電子マネーサーバ２は、その取引情報を管理するように構成されている。
そのため、バリューで決済処理する場合にリアルタイムで電子マネーサーバ２にアクセスする必要がなく、高速にその場で処理できる他、取引情報を電子マネー端末８の記憶装置に一旦溜めておき、所定の期間後にこれを電子マネーサーバ２に転送したり、あるいは係員が取引情報を記憶した記憶媒体を回収したりなどすることもできる。
【００９６】
次に、電子マネーサーバ２（図１）のハードウェア的な構成の一例について説明する。
図９に示したように電子マネーサーバ２は、ＣＰＵ７５、ＲＯＭ７６、ＲＡＭ７７、通信制御部７８、記憶部７９などがバスライン８２で接続されて構成されている。
【００９７】
ＣＰＵ７５は、所定のプログラムに従って情報処理を行う他、電子マネーサーバ２全体の制御などを行う。
ＲＯＭ７６は、読み出し専用のメモリであり、電子マネーサーバ２を動作させるための基本的なプログラムやパラメータなどが記憶されている。
ＲＡＭ７７は、読み書き可能なメモリであって、ＣＰＵ７５のワーキングメモリを提供したり、記憶部７９に記憶されたプログラムやデータをロードして記憶したりなどする。
【００９８】
通信制御部７８（受け付け手段、送信手段）は、インターネット４及び基地局５を介して携帯電話７と通信したり、通信回線を介して電子マネー端末８と通信する機能部である。
ＣＰＵ７５は、通信制御部７８を介して電子マネー端末８から電子マネーカード１５や携帯電話７を用いた取引に関する情報を受信することができ、また、携帯電話７と通信して、携帯電話７にバリューをチャージしたり、あるいは、携帯電話７のバリューで決済処理を行うことができる。
【００９９】
記憶部７９は、例えばハードディスクやその他の不揮発性のメモリなどによって構成されており、各種プログラムを格納したプログラム格納部８０、データを格納したデータ格納部８１などから構成されている。
【０１００】
プログラム格納部８０には、電子マネーサーバ２を機能させるための基本的なプログラムであるＯＳや、サービスサイトを運営するためのサービスサイトプログラム、ユーザ登録やバリュー処理機能の組み込みを行うための登録プログラム、ユーザを認証するための認証プログラム、取引処理を行う取引処理プログラム、その他のプログラムが格納されている。
ＣＰＵ７５で、これらのプログラムを実行すると、それぞれサービスサイト部５６、組み込み登録部５７、認証部５８、取引処理部５９（図６）がソフトウェア的に構成される。
データ格納部８１には、ユーザ情報データベース５４、取引情報データベース５５、採番テーブル、イシュアマスタ、その他のデータベースが格納されている。
【０１０１】
次に、電子マネー端末８（図１）について説明する。
電子マネー端末８は、携帯電話７の電子マネー機能部１２と無線通信し、バリュー処理部２８を動作させる端末装置である。
電子マネー端末８は、例えば、コンビニエンスストアのレジなどに設置されており、ユーザは、携帯電話７を電子マネー端末８の所定の部位（リーダライタ部８ａ）にセットすることによりバリューのチャージ、及び決済処理を行うことができるようになっている。
以下では、電子マネー端末８が携帯電話７と通信する場合について説明するが、電子マネー端末８は電子マネーカード１５に対しても同様の処理を行うことができる。
【０１０２】
リーダライタ部８ａは、内蔵されたアンテナを用いて近距離の無線通信を行うことができ、電子マネー機能部１２の端末アンテナ３５と電波によるデータの送受信を行うことができる。
電子マネー端末８は、携帯電話７との通信開始時に、電子マネー機能部１２から鍵情報を読み出し（鍵情報を読み出すコマンドをバリュー処理部２８に送信し、これに対してバリュー処理部２８に送信してきた鍵情報を受信する）、これを自らが有する鍵情報と照合して電子マネー機能部１２が正規に構成されたものであることを確認する。
電子マネー端末８は、電子マネー機能部１２が正規のものであることを確認した後、バリュー処理部２８に書き込みコマンドや減算コマンドを入力し、バリュー処理部２８にバリュー処理を行わせる。
【０１０３】
電子マネー端末８は、デジタル化された電話回線などの通信回線により電子マネーサーバ２とネットワーク接続されており、携帯電話７に対して行ったチャージ、及び決済処理に関する情報を電子マネーサーバ２に送信するようになっている。
電子マネー端末８が電子マネーサーバ２に送信する情報は、例えば、端末ＩＤ（電子マネー端末８を識別するためのＩＤ）、加盟店ＩＤ、電子マネー番号、チャージした場合はそのバリューの金額、決済処理した場合はそのバリューの金額、チャージ又は決済処理を行った日時などの、電子マネー端末８と電子マネー機能部１２との間で行われた処理の内容を特定する情報である。
【０１０４】
これらの情報により、電子マネーサーバ２は、各電子マネー機能部１２に格納されているバリューの金額や、どの電子マネー端末８で、どの電子マネー機能部１２がいくらチャージ又は決済したかを知ることができる。
また、電子マネー端末８は、後述する電子マネーカード１５に対しても電子マネー機能部１２と同様にバリューのチャージ、及び決済処理を行うことができる。
【０１０５】
なお、本実施の形態では、電子マネー端末８は、小売店舗に設置されており、バリューのチャージと決済処理の双方が行えるものとする。
この他に、自動販売機や、駅の改札口、バスの乗降口、タクシー、映画館の入り口などの、ユーザから料金を徴収する場所に設置することができる。この場合は、決済専用の電子マネー端末８を設置することができる。
また、広場や公園などの人の出入りの多い場所にチャージ専用の電子マネー端末８を設置し、バリューをチャージできるようにすることもできる。
【０１０６】
電子マネー端末８と電子マネーサーバ２のネットワーク接続は、通常はデジタル化された一般の電話回線が用いられるが、この他に、例えば、専用回線で行うこともできる。
また、電子マネー端末８の近くに無線端末を設置し、電子マネー端末８と無線端末の間を無線回線で接続するように構成してもよい。１台の無線端末で複数の電子マネー端末８と無線通信することができるため、個々の電子マネー端末８に回線を敷設するよりもコスト的に安くなる場合がある。この方式は、例えば、自動販売機に設置された電子マネー端末８を複数台まとめて管理する場合に有利である。
【０１０７】
更に、電子マネー端末８に記憶媒体を搭載して、これに携帯電話７との処理内容のデータを記憶して蓄えておき、係員が出向いて記憶媒体を回収するように構成することもできる。
この方式は、例えばバス、タクシー、飛行機、船などの移動体に電子マネー端末８を設置する場合に有利である。
【０１０８】
次に、電子マネーカード１５（図１）について説明する。
電子マネーカード１５は、プラスチックケースの内部に、電子マネー機能部１２と同様の端末アンテナとＩＣチップを内蔵したものである。
図１０は、電子マネーカード１５のハードウェア的な構成の一例を示した図である。
電子マネーカード１５は、ＩＣチップ１１２と、ＩＣチップ１１２上に構成されたＣＰＵ１３２、ＲＯＭ１３３、ＲＡＭ１３４、記憶部１３６、端末通信部１３１を備えている。また、ＩＣチップ１１２に電力を供給すると共に、信号の送受信を行う端末アンテナ１３５も備えている。
【０１０９】
電子マネーカード１５も電子マネー機能部１２と同様に電子マネー端末８の所定の部位にセットすることにより非接触でバリューのチャージと決済処理を行うことができる。
このとき、電子マネー端末８の放射する電波を受信して電子マネーカード１５の端末アンテナ１３５が発電を行い、ＩＣチップ１１２を駆動するための電力を供給する。このように端末アンテナ１３５は、発電と電子マネー端末８とのデータ送受信の両方を行う。
【０１１０】
なお、携帯電話７の電子マネー機能部１２の場合は、携帯電話７の電源から電力の供給を受けることができるため、電子マネー機能部１２のＩＣチップの場合は、電力を電子マネー端末８から得ることもできるし、携帯電話７の電源から得ることもできる。
通常は、携帯電話７の電源がオンになっている場合は、携帯電話７のバッテリから電力を得、携帯電話７の電源がオフとなっている場合は、電子マネー端末８から電力を得るようになっている。
【０１１１】
ＩＣチップ１１２上に構成されたＣＰＵ１３２、ＲＯＭ１３３、ＲＡＭ１３４、記憶部１３６、端末通信部１３１は、それぞれ、電子マネー機能部１２のＣＰＵ３２、ＲＯＭ３３、ＲＡＭ３４、記憶部３６、端末通信部３１と同等の機能を有している。
即ち、記憶部１３６には、バリュー処理プログラムが記憶されており、これをＣＰＵ１３２で実行することにより、バリュー処理部がソフトウェア的に構成される。また、記憶部１３６にはログデータ記憶部が形成されている。
このバリュー処理部の作用により、電子マネーカード１５を電子マネー端末８のリーダライタ部にセットし、バリューのチャージ、及びバリューによる決済処理を行うことができる。
【０１１２】
次に、以上のように構成された電子マネー運用システム１で携帯電話７にバリュー処理機能を組み込む場合の各構成要素の動作を図１１（ａ）に記した番号に対応させて説明する。
（１）ユーザは、携帯電話７の購入後、アプリケーションモードを起動し、アプリケーション部２６を使用できるようにする。そして、アプリケーション部２６に電子マネーサーバ２のサービスサイトのＵＲＬを入力し、携帯電話７から電子マネーサーバ２のサービスサイト部５６にアクセスする。
これに対し、サービスサイト部５６は、メインメニュー画面を表示するための画面データを携帯電話７に送信する。
【０１１３】
図１２（ａ）は、携帯電話７のディスプレイ２１（図２）に表示されたメインメニュー画面の一例を示した図である。
図に示したように、メインメニュー画面では電子マネーサーバ２が提供しているサービスが項目別に表示され、ユーザはキーボード２２を操作して項目を選択することができる。ここでは、「１．ユーザ登録」を選択する。
【０１１４】
（２）ユーザが項目「１．ユーザ登録」を選択すると、電子マネーサーバ２（図１１（ａ））では、組み込み登録部５７が起動し、まず、電子マネーサーバ２から携帯電話７へ登録画面を表示するための画面データが送信される。
図１２（ｂ）は、ディスプレイ２１に表示された登録画面の一例を示した図である。
登録画面は、氏名を入力する欄や、設定するパスワードを入力する欄、図示しないがイシュアを選択する欄、その他の入力欄を備えており、キーボード２２を操作して必要事項を入力する。
【０１１５】
必要事項入力後、ユーザは、ディスプレイ２１に表示された図示しない送信ボタンをクリックする。これにより、携帯電話７から電子マネーサーバ２へ入力事項が送信される。
また、イシュアの選択に関しては、イシュア選択画面がディスプレイ２１に表示され、そこに表示されているイシュアの中からユーザが任意のイシュアを選択するようになっている。
電子マネーサーバ２では、組み込み登録部５７が、携帯電話７から受信した登録情報をユーザ情報データベース５４に記憶させ、ユーザの登録を行う。
【０１１６】
組み込み登録部５７は、ユーザを登録した後、利用約款を表示するための画面データを送信する。この利用約款には、携帯電話７にバリュー処理機能を組み込むか否かをユーザに選択させる組み込み選択項目が設けられており、ユーザが利用約款に同意する場合は、バリュー処理機能を組み込み、同意しない場合は組み込まないようになっている。
【０１１７】
図１２（ｃ）は、ディスプレイ２１に表示された組み込み選択項目の一例を示した図である。
ユーザは、「はい」、「いいえ」のうち、何れかを選択する。「はい」を選択した場合は、ユーザ登録に引き続きバリュー処理機能の組み込み処理が開始され、「いいえ」を選択した場合は、組み込み処理は開始されない。「いいえ」を選択した場合は、後日電子マネーサーバ２にアクセスし、組み込み処理を行うことができる。
【０１１８】
（３）ユーザが「はい」を選択した場合、組み込み登録部５７が、組み込み処理を開始する。
以降、組み込み登録部５７は、組み込み部２６ａと通信を行いながら組み込み処理を行う。
まず、携帯電話７では、組み込み部２６ａ（図３）が記憶部３６（図５）に電子マネー領域３６ａを確保し、プログラム領域３６ｂ、ログデータ領域３６ｃを形成する。なお、予め電子マネー領域３６ａが確保されている場合は、この段階を省略する。
そして、組み込み部２６ａは、プログラム領域３６ｂにバリュー処理プログラムをインストールする。
また、組み込み部２６ａは、ＩＣチップＩＤを読み出し、電子マネーサーバ２に送信する。
【０１１９】
電子マネーサーバ２では、組み込み登録部５７がＩＣチップＩＤを携帯電話７から受信し、ユーザ情報データベース５４に記憶する共に、電子マネーＩＤを発行してこれをユーザ情報データベース５４に記憶する。
次いで、組み込み登録部５７は、採番した電子マネーＩＤと、鍵情報などの秘密情報を携帯電話７に送信する。
携帯電話７では、組み込み部２６ａが、電子マネーサーバ２から受信した電子マネーＩＤと、鍵情報などの秘密情報をプログラム領域３６ｂに書き込む。
【０１２０】
以上のようにして、電子マネーサーバ２と組み込み部２６ａが共同しながら、ＩＣ機能部１２ａにバリュー処理機能を組み込む。
組み込み処理中は、組み込み部２６ａによりディスプレイ２１に図１２（ｄ）に示したような画面が表示される。
そして、組み込み処理が完了すると、図１２（ｅ）に示したように、ディスプレイ２１に電子マネーＩＤが表示される。
電子マネーＩＤは、ユーザのサービスに利用される他、チャージや決済処理などを行った場合に、これらの情報と共に電子マネーＩＤも記録され、バリューの管理に用いられる。
【０１２１】
図１１（ｂ）は、バリュー処理機能組み込み後の電子マネー機能部１２と、電子マネー端末８、電子マネーサーバ２との関係を示した図である。
図に示したように、バリュー処理部２８は、電子マネー端末８から直接アクセスを受け付けることができる。また、電子マネーサーバ２からは、アプリケーション部２６及び中継部２７を介してアクセスを受け付けることができる。
バリュー処理部２８は、電子マネー端末８や電子マネーサーバ２などから各種コマンドの入力を受け付けてこれを実行し、ログデータ記憶部２９に記憶されているバリューを処理する。
【０１２２】
以上のようにして形成された電子マネー機能部１２に、電子マネー端末８からバリューをチャージする場合の動作について図１３に記した番号に対応させて説明する。
（１）まず、携帯電話７を電子マネー端末８のリーダライタ部８ａにセットすると、電子マネー機能部１２と電子マネー端末８との通信が開始される。
まず、電子マネー端末８は、バリュー処理部２８に対して鍵情報の送信を要求する。これに応じてバリュー処理部２８は、プログラム領域３６ｂ（図５）から鍵情報を読み出し、電子マネー端末８に送信する。
電子マネー端末８は、バリュー処理部２８から受信した鍵情報を用いて、電子マネー機能部１２が正規のものであることを認証する。また、バリュー処理部２８から電子マネーＩＤを読み出して記録する。
【０１２３】
（２）次に、電子マネー端末８は、チャージする金額を特定する書き込み情報の入力を受け付ける。これは、例えば、担当者が電子マネー端末８に配設されている入力装置などから入力する。
（３）電子マネー端末８は、入力された金額分のバリューをチャージする書き込みコマンドを生成し、バリュー処理部２８に送信する。
（４）バリュー処理部２８は、電子マネー端末８から書き込みコマンドを受信してこれを実行し、ログデータ記憶部２９に記憶されているバリューの現在残高に入力された金額分の金額を加算し、ログデータを更新する。
【０１２４】
以上の処理によって、電子マネー端末８から電子マネー機能部１２にバリューをチャージすることができる。
バリューによる決済処理も同様にして行われる。即ち、電子マネー端末８は、電子マネー機能部１２から鍵情報を受信して電子マネー機能部１２を認証し、決済する分の金額の減算コマンドを生成してバリュー処理部２８に送信する。バリュー処理部２８は、これを実行し、バリューの残高を減算する。
また、アプリケーション部２６、及び中継部２７を介して、電子マネーサーバ２からバリュー処理部２８に書き込みコマンドや減算コマンドを入力し、バリューのチャージ、及び決済処理を行うことができる。この場合、アプリケーション部２６が鍵情報を電子マネー機能部１２から読み出して電子マネーサーバ２に送信し、これを電子マネーサーバ２が認証する。
【０１２５】
次に、図１４のフローチャートを用いて、携帯電話７にバリュー処理機能を組み込む手順を説明する。
まず、携帯電話７において、電話機能部１０をアプリケーションモードとし、電子マネーサーバ２のサービスサイトにアクセスする（ステップ３）。
これに対し、電子マネーサーバ２では、サービスサイト部５６がメインメニュー画面を表示するための画面データを携帯電話７に送信する（ステップ５０）。
【０１２６】
携帯電話７は、この画面データを受信し、アプリケーション部２６がこれを用いてメインメニュー画面をディスプレイ２１に表示する。
ユーザは、メインメニュー画面で各種の項目を選択することができるが、ここでは、ユーザ登録を選択するものとする（ステップ５）。
これに対し、電子マネーサーバ２では、組み込み登録部５７が起動し、登録画面を表示するための画面データを携帯電話７に送信する（ステップ５５）。
【０１２７】
携帯電話７は、この画面データを受信し、これを用いてアプリケーション部２６がディスプレイ２１に登録画面を表示する。
ユーザは、登録画面から、氏名やパスワード、選択したイシュアなど、登録に必要な情報を入力し、登録画面に表示された送信ボタンをクリックする。すると、アプリケーション部２６は、入力された登録情報を電子マネーサーバ２に送信する（ステップ１０）。
【０１２８】
電子マネーサーバ２は、携帯電話７から送信されてきた登録情報を受信する。そして、組み込み登録部５７が、受信した登録情報を用いてユーザ情報データベース５４を検索し、既に当該ユーザが登録されているか否かを確認する（ステップ６０）。既にユーザの項目が存在し、ステータスが「組み込み済み」となっている場合は（ステップ６０；Ｙ）、既に登録済みである旨のメッセージを携帯電話７に送信して、ステップ５０に戻る。
【０１２９】
ユーザ情報データベース５４にユーザの項目が存在しないか、もしくは存在するがステータスが「未組み込み」（組み込み途中で障害が発生し、再度組み込みを行う場合など）の場合は（ステップ６０；Ｎ）、ユーザのユーザ情報データベース５４への登録処理を行う（ステップ６５）。そして、当該ユーザの項目のステータスは「未組み込み」に設定される。
【０１３０】
次に、組み込み登録部５７は、携帯電話７に利用約款を表示するための利用約款データを送信する（ステップ７０）。
携帯電話７は、これを受信し、アプリケーション部２６がこれを用いてディスプレイ２１に利用約款を表示する。
ユーザは、利用約款を読み、同意してバリュー処理機能組み込みを行うか、あるいは同意せずにバリュー処理の組み込み処理を行わないかを選択して電子マネーサーバ２に送信する（ステップ１５）。
【０１３１】
電子マネーサーバ２は、これを受信する。そして、ユーザが利用約款に同意していない場合は（ステップ７５；Ｎ）、組み込み登録部５７は、組み込み処理を行わず、電子マネーサーバ２の状態はステップ５０に戻る。
ユーザが利用約款に同意している場合は（ステップ７５；Ｙ）、組み込み登録部５７は、組み込み処理を開始し、携帯電話７の組み込み部２６ａと通信しながら共同して、バリュー処理機能の組み込み処理を行う（ステップ８０、２０）。
【０１３２】
即ち、組み込み登録部５７は、電子マネーＩＤを発行して、これと鍵情報を携帯電話７に送信し、組み込み部２６ａは、ＩＣチップＩＤを読み出して電子マネーサーバ２に送信する。
また、携帯電話７がバリュー処理プログラムを電子マネーサーバ２からダウンロードする携帯の場合は、組み込み登録部５７がバリュー処理プログラムを電子マネーサーバ２に送信する。
【０１３３】
そして、組み込み登録部５７は、携帯電話７から受信したＩＣチップＩＤと、携帯電話７に対して採番した電子マネーＩＤをユーザ情報データベース５４の当該ユーザの項目に記憶する。
一方、組み込み部２６ａは、鍵情報と電子マネーＩＤを用いてバリュー処理プログラムを組み込む。
【０１３４】
携帯電話７でバリュー処理プログラムの組み込みが完了すると、アプリケーション部２６は、ディスプレイ２１に組み込み完了メッセージを表示し、ユーザがこれを確認する。ユーザが確認すると、アプリケーション部２６は、電子マネーサーバ２に組み込みが完了した旨の完了通知を行う（ステップ２５）。
電子マネーサーバ２が完了通知を受信すると、組み込み登録部５７がユーザ情報データベース５４の当該ユーザの項目のステータスを「組み込み済み」に更新し、バリュー処理機能の組み込みを確定させる（ステップ８５）。
【０１３５】
また、バリュー処理機能の組み込み処理中に障害が発生した場合の対応は次のようになる。
組み込み処理を開始する前（ステップ２０、８０の前）では、リカバリー処理は行わず、電子マネーサーバ２はメインメニュー画面を表示するための画面データを携帯電話７に再度送信する。
組み込み処理を開始した後に障害が発生した場合はリカバリー処理を行い、処理が中断したところから組み込み処理を開始する。
【０１３６】
以上に説明した、本実施の形態の電子マネー運用システム１により以下のように効果を得ることができる。
（１）バリュー処理機能組み込みに際し、鍵情報やその他の情報を電子マネーサーバ２から直接携帯電話７に送信することができるため、セキュリティに関わる秘密情報やその他の秘密情報を外部委託者に渡す必要がないので、これら秘密情報の管理が容易になる。
（２）ＩＣ機能部１２ａ（図３）にバリュー処理機能を組み込まずに、ユーザに携帯電話７を販売することができる。このため、組み込みに要するコストを低減することができる。
（３）バリュー処理機能を組み込んだ後の携帯電話７は、電子マネーカード１５と同様に電子マネーサーバ２でチャージや決済処理を行うことができる他、電子マネーサーバ２からチャージや決済処理を行うことができる。
【０１３７】
以上、本発明の１実施形態について説明したが、本発明は説明した実施形態に限定されるものではなく、各請求項に記載した範囲において各種の変形を行うことが可能である。
例えば、電子マネー機能部１２を内蔵する携帯端末装置は、携帯電話７に限定せず、ＰＤＡ（Ｐｅｒｓｏｎａｌ  Ｄｉｇｉｔａｌ  Ａｓｓｉｓｔａｎｔ：携帯情報端末）やポケットベルなど、ネットワークを介して電子マネーサーバ２にアクセス可能な携帯電子装置に適用することができる。
【０１３８】
また、本実施の形態では、携帯電話７に電子マネーカード１５のＩＣチップと同等の機能を有するＩＣチップを組み込んだが、ハードウェアの構成は、これに限定するものではなく、電話機能部１０の記憶部４５（図５）に、バリュー処理プログラムを組み込み、これをＣＰＵ４２に実行させるように構成することもできる。この場合、電話機能部１０が電子マネー機能部１２の機能を兼ねることができるので、携帯電話７にＩＣチップを組み込む必要はなくなる。
【図面の簡単な説明】
【０１３９】
【図１】電子マネー運用システムの構成の一例を示した図である。
【図２】携帯電話の外観の一例を示した図である。
【図３】バリュー処理機能を組み込む前の携帯電話の機能を説明するための図である。
【図４】バリュー処理機能を組み込んだ後の携帯電話の機能を説明するための図である。
【図５】携帯電話のハードウェア的な構成の一例を説明するための図である。
【図６】電子マネーサーバの機能的な構成の一例を説明するための図である。
【図７】ユーザ情報の論理的な構成の一例を示した図である。
【図８】取引情報の論理的な構成の一例を示した図である。
【図９】電子マネーサーバのハードウェア的な構成の一例を示した図である。
【図１０】電子マネーカードのハードウェア的な構成の一例を示した図である。
【図１１】図１１（ａ）は、バリュー処理機能を組み込む場合の携帯電話の動作を説明するための図であり、図１１（ｂ）は、バリュー処理機能を組み込んだ後の携帯電話の動作を説明するための図である。
【図１２】バリュー処理機能を組み込む際に携帯電話に表示される画面の一例を示した図である。
【図１３】電子マネー端末から携帯電話にチャージする場合を説明するための図である。
【図１４】バリュー処理機能の組み込み手順を説明するためのフローチャートである。
【符号の説明】
【０１４０】
１  電子マネー運用システム
２  電子マネーサーバ
４  インターネット
５  基地局
６  電話回線網
７  携帯電話
８  電子マネー端末
８ａ  リーダライタ部
１０  電話機能部
１２  電子マネー機能部
１５  電子マネーカード
２６  アプリケーション部
２６ａ  組み込み部
２７  中継部
２８  バリュー処理部
２８ａ  中央処理部
２９  ログデータ記憶部
２９ａ  記憶部
【図１】
2006018847.tif 000003
【図２】
2006018847.tif 000004
【図３】
2006018847.tif 000005
【図４】
2006018847.tif 000006
【図５】
2006018847.tif 000007
【図６】
2006018847.tif 000008
【図７】
2006018847.tif 000009
【図８】
2006018847.tif 000010
【図９】
2006018847.tif 000011
【図１０】
2006018847.tif 000012
【図１１】
2006018847.tif 000013
【図１２】
2006018847.tif 000014
【図１３】
2006018847.tif 000015
【図１４】
2006018847.tif 000016